(57)【特許請求の範囲】
【請求項１】
媒体に記録を行う記録手段を備える装置本体と、
前記装置本体の上部において回動可能に設けられ、回動することにより開姿勢と閉姿勢とをとり得る回動体と、
前記装置本体と前記回動体とを連結する連結部と、を有し、
前記連結部が、軸と、
周方向の一部に開口部が設けられ、前記軸への嵌合時に前記開口部が拡開する方向に変形して前記軸に嵌合可能な軸受けと、を備えて構成され、
前記軸受けの外周と対向する位置に、前記回動体の前記開姿勢と前記閉姿勢との間の回動範囲において前記開口部が拡開する方向への前記軸受けの変形を規制する規制部が設けられており、
前記軸受けが、外周の一部が切り欠かれた形状を成しており、
前記軸は、前記回動体側に向かう方向に延びる前記装置本体の壁の前記回動体側に向かう方向における先端よりも、前記回動体側に向かう方向とは反対側に位置するよう設けられており、
前記軸受けは、前記軸への嵌合時に、該軸よりも前記壁側に位置するよう前記切り欠かれた形状が設けられている、
ことを特徴とする記録装置。
【請求項２】
請求項１に記載の記録装置において、前記規制部は、前記軸受けの外周に沿った円弧形状を成す、
ことを特徴とする記録装置。
【請求項３】
請求項１または２に記載の記録装置において、前記軸が、外周の一部が切り欠かれた形状を成している、
ことを特徴とする記録装置。
【請求項４】
請求項１から３のいずれか１項に記載の記録装置において、前記開口部から前記軸受けの径方向外側に延び、前記軸を前記開口部の内側に案内する案内部が設けられている、
ことを特徴とする記録装置。
【発明の詳細な説明】
【技術分野】
【０００１】
本発明は、ファクシミリやプリンターに代表される記録装置に関し、特に装置本体の上部において回動可能に設けられ、回動することにより開閉可能な回動体を備える記録装置に関する。
【背景技術】
【０００２】
ファクシミリやプリンターに代表される記録装置においては、記録機能の他に、画像読取機能を備えた所謂複合機と呼ばれるものがある。即ち、記録用紙に記録を行う記録装置の本体上部に、スキャナユニットが設けられている。
【０００３】
スキャナユニットは、記録装置本体に対して回動可能に設けられ、回動することにより、開姿勢と閉姿勢とを切り換え可能となっている。スキャナユニットは、通常使用時には閉姿勢で保持されるが、例えば記録装置本体内部で紙ジャムが生じた場合のジャム処理の際や、インクカートリッジ交換の際に、スキャナユニットが開かれる様になっている。
【先行技術文献】
【特許文献】
【０００４】
【特許文献１】特開２００９−２３９７５２号公報
【発明の概要】
【発明が解決しようとする課題】
【０００５】
回動体としてのスキャナユニットを記録装置本体に対して回動可能に連結する連結部を、軸と、この軸に対して嵌合可能な軸受けとによって構成する場合がある。また、スキャナユニットを記録装置本体に対して連結する際の作業性を容易にする為、軸受けに開口部を形成し、軸に軸受けを嵌合させる際に前記開口部が拡開する様に（軸受けが弾性変形する様に）、前記軸受けを樹脂材料などにより形成する場合がある。
【０００６】
しかしながら軸に軸受けを嵌合させる際の作業性を向上させる為に上記の様な開口部を軸受けに形成すると、軸と軸受けとの間の強固な嵌合性が失われることから、比較的容易に軸受けが軸から外れてしまう場合がある。
【０００７】
そこで本発明はこの様な状況に鑑みなされたものであり、その目的は、軸と軸受けを備える回動連結構造において、軸に対する軸受けの嵌合作業性を容易にしながらも、嵌合後には嵌合状態を強固に維持できる様にすることにある。
【課題を解決するための手段】
【０００８】
上記課題を解決する為の、本発明の第１の態様に係る記録装置は、媒体に記録を行う記録手段を備える装置本体と、前記装置本体の上部において回動可能に設けられ、回動することにより開姿勢と閉姿勢とをとり得る回動体と、前記装置本体と前記回動体とを連結する連結部と、を有し、前記連結部が、軸と、周方向の一部に開口部が設けられ、前記軸への嵌合時に前記開口部が拡開する方向に変形して前記軸に嵌合可能な軸受けと、を備えて構成され、前記軸受けの外周と対向する位置に、前記回動体の前記開姿勢と前記閉姿勢との間の回動範囲において前記開口部が拡開する方向への前記軸受けの変形を規制する規制部が設けられていることを特徴とする。
【０００９】
本態様によれば、前記軸受けの外周と対向する位置には、前記回動体の前記開姿勢と前記閉姿勢との間の回動範囲において前記開口部が拡開する方向への前記軸受けの変形を規制する規制部が設けられているので、前記回動体の使用範囲、即ち前記開姿勢と前記閉姿勢との間の回動範囲では、前記開口部が拡開して前記軸受けが前記軸から外れてしまうことを防止できる。
【００１０】
本発明の第２の態様は、第１の態様において、前記規制部は、前記軸受けの外周に沿った円弧形状を成すことを特徴とする。  
本態様によれば、前記規制部が、前記軸受けの外周に沿った円弧形状を成すので、前記軸受けの外周の広い範囲で前記軸受けの変形を適切に規制することができる。
【００１１】
本発明の第３の態様は、第１のまたは第２の態様において、前記軸が、外周の一部が切り欠かれた形状を成していることを特徴とする。  
本態様によれば、前記軸が、外周の一部が切り欠かれた形状を成しているので、当該切り欠きによって形成された弦が延びる方向に沿って前記軸受けを前記軸に対して嵌合させることにより、前記軸受けを前記軸に嵌合させる際の前記軸受けの弾性変形量が少なくて済み、前記軸受けを前記軸に嵌合させる際の作業性が向上する。
【００１２】
本発明の第４の態様は、第１から第３の態様のいずれかにおいて、前記軸受けが、外周の一部が切り欠かれた形状を成していることを特徴とする。  
本態様によれば、前記軸受けが、外周の一部が切り欠かれた形状を成しているので、前記軸受けを前記軸に嵌合させる際に、前記軸受けの外周が周囲の構成に干渉して嵌合作業性を低下させることを回避できる。
【００１３】
本発明の第５の態様は、第１から第４の態様のいずれかにおいて、前記開口部から前記軸受けの径方向外側に延び、前記軸を前記開口部の内側に案内する案内部が設けられていることを特徴とする。
【００１４】
本態様によれば、前記開口部から前記軸受けの径方向外側に延び、前記軸を前記開口部の内側に案内する案内部が設けられているので、前記軸受けを前記軸に嵌合させる際に、前記開口部から径方向外側に延びた案内部が前記軸受けを前記軸に案内することで、前記軸受けを前記軸に嵌合させる際の作業性が向上する。
【図面の簡単な説明】
【００１５】
【図１】本発明に係るインクジェットプリンターの外観斜視図（スキャナ部クローズ状態）。
【図２】本発明に係るインクジェットプリンターの外観斜視図（スキャナ部オープン状態）。
【図３】スキャナ部の平面図。
【図４】図３のＡ−Ａ断面の斜視図。
【図５】被案内部の斜視図。
【図６】スキャナ部の開姿勢を維持するアーム及びカム溝の斜視図。
【図７】スキャナ部の開姿勢を維持するカム溝の斜視図。
【図８】記録部とスキャナ部とを連結する軸及び軸受けの断面斜視図。
【図９】記録部とスキャナ部とを連結する軸及び軸受けの断面図（スキャナ部クローズ状態）。
【図１０】記録部とスキャナ部とを連結する軸及び軸受けの断面図（スキャナ部オープン状態）。
【図１１】記録部とスキャナ部とを連結する軸及び軸受けの断面図（組み付け途中状態）。
【図１２】記録部とスキャナ部とを連結する軸及び軸受けの断面図（組み付け途中状態）。
【図１３】記録部とスキャナ部とを連結する軸及び軸受けの断面図（規制部の他の実施形態であり、スキャナ部はクローズ状態）。
【発明を実施するための形態】
【００１６】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００１７】
図１は、本発明に係る記録装置の一例としてのインクジェットプリンター１の外観斜視図（スキャナ部３クローズ状態）、図２は同外観斜視図（スキャナ部３オープン状態）である。また、図３はスキャナ部３の平面図、図４は図３のＡ−Ａ断面の斜視図、図５は被案内部３２の斜視図、図６はスキャナ部３の開姿勢（オープン状態）を維持するアーム１４及びカム溝１５の斜視図、図７はスキャナ部３の開姿勢を維持するカム溝１５の斜視図である。
【００１８】
更に、図８は記録部２とスキャナ部３とを連結する軸及び軸受け２２の断面斜視図、図９は記録部２とスキャナ部３とを連結する軸１９及び軸受け２２の断面図（スキャナ部３クローズ状態）、図１０は軸１９及び軸受け２２の断面図（スキャナ部３オープン状態）、図１１は軸１９及び軸受け２２の断面図（組み付け途中状態）、図１２は軸１９及び軸受け２２の断面図（組み付け途中状態）である。更に、図１３は軸１９及び軸受け２２の断面図（スキャナ部３クローズ状態）であり、規制部の他の実施形態を示すものである。
【００１９】
図１及び図２において、インクジェットプリンター１は、媒体の一例としての記録用紙にインクジェット記録を行う記録部２が装置本体を構成しており、この記録部２の上部に「回動体」としてのスキャナ部３を備えている。即ちインクジェットプリンター１は、インクジェット記録機能に加えてスキャナ機能を備える複合機として構成されている。
【００２０】
スキャナ部３は、記録部２に対して回動可能に設けられており、回動することにより、閉姿勢（図１：クローズ状態）と開姿勢（図２：オープン状態）とをとり得る。そしてスキャナ部３が開くことにより、キャリッジ１１に搭載されたインクカートリッジ（不図示）の交換作業や、紙ジャムが生じた際のジャム処理作業などが行える様になっている。
【００２１】
図２において符号２３は、回動連結部を示していて、この回動連結部２３は、軸１９と軸受け２２（図８）とを備えて構成されているが、これについては後に説明する。尚、回動連結部２３を構成する軸１９と軸受け２２（図８）は、装置の組立状態において外部からは視認できない位置にあり、図２における符号２３は、装置全体における回動連結部２３のおおよその位置を示したものである。また、スキャナ部３が開いた状態を維持する為のアーム１４とカム溝１５が設けられているが（図６）これについても後に説明する。
【００２２】
次に、スキャナ部３において上部のカバー４は開閉可能なカバーであり、当該カバー４を開放することにより、スキャナ部３の図示しない原稿台が表れる様になっている。  
スキャナ部３は、図３に示す様にフレーム２５を基体とし、このフレーム２５に読み取り手段としての読み取りユニット３０が走査方向（図３の左右方向）に移動可能に設けられている。尚、図３においては原稿台を構成するガラスプレート（フレーム２５に設けられる）は図示を省略している。
【００２３】
符号２６は読み取りユニット３０をガイドするガイドレールを示しており、符号２７はモーター（不図示）により駆動される駆動プーリーを、符号２８は従動回転する従動プーリーを、符号２９は駆動プーリー２７と従動プーリー２８との間に係回される無端ベルトを、それぞれ示している。そして読み取りユニット３０が備えるキャリッジ３１が、無端ベルト２９に接続されており、これにより無端ベルト２９が稼働すると読み取りユニット３０が走査方向に移動する。
【００２４】
キャリッジ３１は被案内部３２を有しており、この被案内部３２が、ガイドレール２６によって案内される。この被案内部３２は、図４に示す様に凸状のガイドレール２６に上から嵌合する様な凹形状を成しており、その内側３２ａには、図５に示す様に凸部３２ｂ、３２ｃが形成され、これにより凸部３２ｂ、３２ｃの間に潤滑剤滞留部３２ｄが形成された状態となっている。
【００２５】
潤滑剤滞留部３２ｄには、グリスなどの潤滑剤が充填され、これにより被案内部３２がガイドレール２６に対して円滑に摺動できるとともに、長期に渡って潤滑剤が染み出すことで、長期に渡り円滑な摺動が確保できる様になっている。
【００２６】
続いて、図１及び図２に戻り、装置前面において符号６は記録が行われて排出された用紙を受ける排紙受けトレイである。排紙受けトレイ６は引き出し式に構成され、図１及び図２は収納された状態を示している。
【００２７】
符号９は、電源ボタンや各種印刷設定・記録実行を行う操作ボタン、印刷設定内容や印刷画像のプレビュー表示などを行う表示部、等を備えて成る操作部であり、符号８は当該操作部を備えるパネルユニットである。このパネルユニット８は、スキャナ部３に設けられており、スキャナ部３の回動に従ってスキャナ部３と一体に変位する様になっている。
【００２８】
図２において符号１１はキャリッジであり、このキャリッジ１１の底部に記録ヘッド１２が設けられている。キャリッジ１１が用紙幅方向に移動する過程において記録ヘッド１２からインクが吐出されることにより、用紙に記録が実行される。尚、用紙搬送経路において記録ヘッド１２の上流側には、用紙を搬送する搬送手段（不図示）が設けられ、またこの搬送手段の上流側には、用紙を搬送手段へと給送する給送手段（不図示）が設けられている。
【００２９】
続いて、スキャナ部３が開いた状態を維持する為のアーム１４及びカム溝１５について説明する。図６においてアーム１４は、その一端側（上側）が、スキャナ部３に回動可能に支持されている。そしてアーム１４の他端側（下側）には、ボス部１４ａが図６の紙面裏側方向に突出する様に形成されており、このボス部１４ａが、カム溝１５に入り込んだ状態となっている。
【００３０】
カム溝１５は、所謂ハートカムと呼ばれるものであり、アーム１４に形成されたボス部１４ａが図７の矢印ｓで示す方向、即ち一定方向にカム溝１５内を移動する様になっている。カム溝１５は、溝底面の高さが変化する様に形成されており、例えば底面ａと底面ｂとの間には段差１５ｄが形成されており、底面ｂが底面ａよりも一段低くなっている。また底面ｃと底面ｄとの間に段差１５ｃが形成されており、底面ｄが底面ｃよりも一段低くなっている。これにより、ボス１４ａが、矢印ｓ方向とは反対方向にカム溝１５内を変位しない様になっている。
【００３１】
カム溝１５内には、第１凹部１５ａと第２凹部１５ｂとが形成されており、これら第１凹部１５ａ、第２凹部１５ｂにボス部１４ａが入り込むことにより、スキャナ部３の開姿勢が維持される様になっている。例えば、図６はスキャナ部３が全開状態（開姿勢）のときのアーム１４の状態を示しており、このときボス部１４ａは第１凹部１４ａに入り込んでおり、これによりアーム１４がスキャナ部３を支持し、スキャナ部３の全開状態を維持している。
【００３２】
この状態からスキャナ部３を少し上に持ち上げると、ボス部１４ａが第１凹部１５ａから外れて第２凹部１５ｂに向かい（図５の矢印ｓ方向）、そしてスキャナ部３から手を離すと、ボス部１４ａが第２凹部１５ｂに入り込む。これにより、スキャナ部３の半開き状態が維持される。尚、アーム１４は図示しない付勢手段により、ボス部１４ａが装置後方側（図６において右側）に向かう揺動方向に付勢されている。尚、ボス部１４ａは、その先端がカム溝１５の底面に接する方向に付勢されるか、或いはカム溝１５の底面から離れない様に設けられることが好ましい。
【００３３】
次に、ボス部１４ａが第２凹部１５ｂに入り込んだ状態（スキャナ部３の半開き状態）から、スキャナ部３を少し上に持ち上げると、ボス部１４ａが第２凹部１５ｂから離れる。そしてスキャナ部３を閉じる方向に回動させると、ボス部１４ａがカム溝１５内を図７の矢印ｓ方向に向かう。そしてスキャナ部３を全閉状態にすると、ボス部１４ａが底面ｂの領域に入る。
【００３４】
以上のように、スキャナ部３を回動させるのみでスキャナ部３の開姿勢が維持される構成であるので、ユーザーは片手のみでスキャナ部３の姿勢切り替えを行うことができ、操作性が良好となる。加えて、ボス部１４ａが入り込む凹部は複数（本実施形態では、２つ）設けられているので、スキャナ部３が全開状態から全閉状態へ急激に姿勢変化することがなく、スキャナ部３が勢い良く回動して記録部３に衝突することを防止できる。
【００３５】
続いて、軸１９と軸受け２２とを備えた回動連結部２３について説明する。図８において記録部２の基体を構成するメインフレーム１８後方には、軸１９が、メインフレーム１８に一体的に形成されている。尚、本実施形態に係るメインフレーム１８は、樹脂材料により形成されており、軸１９はメインフレーム１８に対し樹脂成形により一体的に設けられている。
【００３６】
一方、スキャナ部３には軸受け２２が設けられており、この軸受け２２が軸１９に嵌合することにより、スキャナ部３が記録部２に対して回動可能となる。図１１→図１２→図１０の変化は、軸受け２２が軸１９に対して嵌合する際の状態変化を示している。
【００３７】
軸受け２２は、樹脂材料により形成されており、開口部２２ａを有している。従って軸受け２２を軸１９に嵌合させる際には、スキャナ部３を持って軸受け２２を装置後方側（図１１において右側）から装置前方側（図１１において左側）に斜め下方向に、軸１９に対して接近させ、押し込む様にする。
【００３８】
このとき、軸１９は、外周の一部が切り欠かれた形状を成しており（符号１９ａで示す部分）、且つこの切り欠きによる弦（平坦部）が軸受け２２の軸１９に対する嵌合方向（図１１において左下方向）に延びているので、軸受け２２を軸１９に嵌合させる際の軸受け２２の弾性変形量が少なくて済み、軸受け２２を軸１９に嵌合させる際の作業性向上が図られている。
【００３９】
また、軸受け２２も、外周の一部が切り欠かれている（符号２２ｂで示す部分）。従って軸受け２２を軸１９に嵌合させる際に、軸受け２２がメインフレーム１８を構成する後壁１８ａの上端部に干渉することを回避でき、これによっても軸受け２２を軸１９に嵌合させる際の作業性向上が図られている。
【００４０】
加えて、軸受け２２において開口部２２ａから、軸受け２２の径方向外側に延びる舌片状の案内部２２ｃが形成されている。これにより、軸受け２２を軸１９に嵌合させる際に、案内部２２ｃが軸１９を開口部２２ａの内側に案内する機能を発揮し、軸受け２２を軸１９に嵌合させる際の作業性向上が図られている。特に、スキャナ部３を記録部２に連結させる際の作業者は、装置前方側から軸１９、軸受け２２のこれらを視認できないので、案内部２２ｃが設けられていることにより、容易にスキャナ部３を記録部２に連結させることができる。
【００４１】
以上の様に、軸受け２２は軸１９に対して容易に嵌合できる様になっているが、軸受け２２が軸１９に対して嵌合した後は、軸受け２２は容易に軸１９から外れない様になっている。
【００４２】
図８〜図１０において符号２０は、規制部を示しており、この規制部２０は軸受け２２の外周と対向する位置に設けられ、スキャナ部３の開姿勢（図８、図１０）と閉姿勢（図９）との間の回動範囲において軸受け２２の開口部２２ａが拡開する方向への軸受け２２の変形を規制する。
【００４３】
従って、スキャナ部３の使用範囲（開閉範囲）、即ち開姿勢と閉姿勢との間の回動範囲では、軸受け２２は開口部２２ａが拡開する方向への変形が規制され、これによって軸受け２２の軸１９への嵌合状態が強固に保たれる。
【００４４】
尚、上記スキャナ部３の使用範囲（開閉範囲）は、図６に示したアーム１４とカム溝１５により規定される。従ってアーム１４をカム溝１５から外すことにより、スキャナ部３は図８及び図１０に示す開姿勢よりも更に上方に回動することができる。そうすると、軸受け２２の開口部２２ａの一方側端部（図１０において符号ｑで示す）が、軸１９の円弧部の終端部（図１０において符号ｒで示す）に近づき、或いは軸１９の円弧部から外れることができるので、その様な状態において軸受け２２を軸１９から容易に取り外すことができる。
【００４５】
尚、規制部２０は、本実施形態では直線状に延びるリブで形成されているが、図１３の符号２０’で示す様に、軸受け２２の外周に沿った円弧形状を成すリブで形成することも好適である。これにより、軸受け２２の外周の広い範囲で、軸受け２２の変形を適切に規制することができる。
【００４６】
以上説明した各実施形態は一例であり、本発明がこれら各実施形態に限られないことは言うまでもない。特に、記録装置本体の上部に設けられる「回動体」としては、本実施形態で示したスキャナ部３に限られず、カバーや、原稿を搬送する自動原稿搬送装置など、種々のものを適用することができる。また、上記実施形態では軸１９を記録部２に、軸受け２２をスキャナ部３に、それぞれ設けているが、その逆であっても良い。
【００４７】
また、上記各実施形態では本発明を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機およびファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００４８】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【符号の説明】
【００４９】
１  インクジェットプリンター、２  記録部、３  スキャナ部、４  カバー、５  排紙口、６  排紙受けトレイ、８  パネルユニット、９  操作部、１１  キャリッジ、１２  記録ヘッド、１４  アーム、１４ａ  ボス部、１５  カム溝、１５ａ  第１凹部、１５ｂ  第２凹部、１５ｃ、１５ｄ  段差、１８  メインフレーム、１９  軸、１９ａ  切り欠き部、２０  規制部、２２  軸受け、２２ａ  開口部、２２ｂ  切り欠き部、２２ｃ  案内部、２３  回動連結部、２５  フレーム、２６  ガイドレール、２７  駆動プーリー、２８  従動プーリー、２９  無端ベルト、３０  読み取りユニット、３１  キャリッジ、３２  被案内部、３２ａ  内側、３２ｂ  凸部、３２ｃ  凸部、３２ｄ  潤滑剤滞留部
【図１】
0005962886.tif 000002
【図２】
0005962886.tif 000003
【図３】
0005962886.tif 000004
【図４】
0005962886.tif 000005
【図５】
0005962886.tif 000006
【図６】
0005962886.tif 000007
【図７】
0005962886.tif 000008
【図８】
0005962886.tif 000009
【図９】
0005962886.tif 000010
【図１０】
0005962886.tif 000011
【図１１】
0005962886.tif 000012
【図１２】
0005962886.tif 000013
【図１３】
0005962886.tif 000014